(57)【特許請求の範囲】
【請求項１】
ＡＣ電力で動作でき、ＡＣ電力が取り除かれた場合にはＤＣ電力で動作することができる複数の照明ユニットと、
前記複数の照明ユニット間でＤＣ電力を再配電する少なくとも一つのコントローラと、
ＡＣ電力の有無を検知するＡＣ電力監視ユニットと、
ＤＣ配電経路を形成する主コントローラと、
を有し、
前記複数の照明ユニットのうちの１以上の照明ユニットは、当該１以上の照明ユニット自身内にＤＣ電力を備え、前記主コントローラは、ＤＣ電力を備える前記複数の照明ユニットのうちの前記１以上の照明ユニットの一つから、前記複数の照明ユニットのうちの別の一つにＤＣ電力を送るようにし、前記ＡＣ電力により使用される配電経路と同じ配電経路を使用して、ＤＣ電力を再配電する、照明ネットワーク。
【請求項２】
前記主コントローラは、更に、前記複数の照明ユニットのうちの前記別の一つにおける照明の利用可能性を拡張するために、ＤＣ電力を備える前記複数の照明ユニットの前記１以上の照明ユニットそれぞれのＤＣ電力の利用可能性を確認し、前記複数の照明ユニットのうちの前記別の一つにＤＣ電力を送ることによって、ＤＣ電力の再配電を調整する、請求項１に記載の照明ネットワーク。
【請求項３】
前記複数の照明ユニットの前記１以上の照明ユニットは、ＤＣ電力を蓄積するバッテリと、バッテリ充電管理ユニットとを含み、
前記バッテリは、前記照明ユニットが、商用電源供給の中断の発生以前にオン状態であった場合、前記照明ユニットに電力を供給する、
請求項１に記載の照明ネットワーク。
【請求項４】
前記複数の照明ユニットのそれぞれは、ＡＣ電力が利用可能でないときに、ＤＣ電力に切り替えるためのバイパススイッチを含み、
前記照明ユニットはタクトスイッチを更に有し、前記照明ユニットは商用電源電圧のスロープを分析する商用電源電圧監視ユニットを有し、前記照明ユニットは、前記分析に基づいて、商用電源供給が所定の時間内に回復するという第２のイベントが、電圧ディップか、又は意図されたタクトスイッチ動作かであることを決定する、請求項３に記載の照明ネットワーク。
【請求項５】
前記複数の照明ユニットの１以上は、ユーザの存在を検知するセンサを含む、請求項１に記載の照明ネットワーク。
【請求項６】
前記複数の照明ユニットの１以上は、昼光を検知するセンサを含む、請求項１に記載の照明ネットワーク。
【請求項７】
ＡＣ電力で動作でき、ＡＣ電力が取り除かれた場合にはＤＣ電力で動作することができる複数の照明ユニットと、
前記複数の照明ユニット間でＤＣ電力を再配電する少なくとも一つのコントローラと、
ＡＣ電力の有無を検知するＡＣ電力監視ユニットと、
ＤＣ配電経路を形成する主コントローラと、
を有し、
前記複数の照明ユニットの前記１以上の照明ユニットは、ＤＣ電力を蓄積するバッテリと、バッテリ充電管理ユニットとを含み、
前記複数の照明ユニットのうちの１以上の照明ユニットは、当該１以上の照明ユニット自身内にＤＣ電力を備え、前記主コントローラは、ＤＣ電力を備える前記複数の照明ユニットのうちの前記１以上の照明ユニットの一つから、前記複数の照明ユニットのうちの別の一つにＤＣ電力を送るようにし、前記バッテリは、前記照明ユニットが、商用電源供給の中断の発生以前にオン状態であった場合、前記照明ユニットに電力を供給する、照明ネットワーク。
【請求項８】
前記複数の照明ユニットのそれぞれは、ＡＣ電力が利用可能でないときに、ＤＣ電力に切り替えるためのバイパススイッチを含み、
前記照明ユニットはタクトスイッチを更に有し、前記照明ユニットは商用電源電圧のスロープを分析する商用電源電圧監視ユニットを有し、前記照明ユニットは、前記分析に基づいて、商用電源供給が所定の時間内に回復するという第２のイベントが、電圧ディップか、又は意図されたタクトスイッチ動作かであることを決定する、請求項７に記載の照明ネットワーク。
【請求項９】
ＡＣ電力で動作でき、ＡＣ電力が取り除かれた場合にはＤＣ電力で動作することができる複数の照明ユニットと、
前記複数の照明ユニット間でＤＣ電力を再配電する少なくとも一つのコントローラと、
ＡＣ電力の有無を検知するＡＣ電力監視ユニットと、
ＤＣ配電経路を形成する主コントローラと、
を有し、
前記複数の照明ユニットの１以上は、ユーザの存在を検知するセンサを含み、
前記複数の照明ユニットのうちの１以上の照明ユニットは、当該１以上の照明ユニット自身内にＤＣ電力を備え、前記主コントローラは、ＤＣ電力を備える前記複数の照明ユニットのうちの前記１以上の照明ユニットの一つから、前記複数の照明ユニットのうちの別の一つにＤＣ電力を送るようにする、照明ネットワーク。
【請求項１０】
ＡＣ電力で動作でき、ＡＣ電力が取り除かれた場合にはＤＣ電力で動作することができる複数の照明ユニットと、
前記複数の照明ユニット間でＤＣ電力を再配電する少なくとも一つのコントローラと、
ＡＣ電力の有無を検知するＡＣ電力監視ユニットと、
ＤＣ配電経路を形成する主コントローラと、
を有し、
前記複数の照明ユニットの１以上は、昼光を検知するセンサを含み、
前記複数の照明ユニットのうちの１以上の照明ユニットは、当該１以上の照明ユニット自身内にＤＣ電力を備え、前記主コントローラは、ＤＣ電力を備える前記複数の照明ユニットのうちの前記１以上の照明ユニットの一つから、前記複数の照明ユニットのうちの別の一つにＤＣ電力を送るようにする、照明ネットワーク。
【請求項１１】
タクトスイッチと共に使用される照明ユニットであって、前記照明ユニットは、商用電源電圧のスロープを分析する商用電源電圧監視ユニットを有し、前記照明ユニットは、前記分析に基づいて、商用電源供給が所定の時間内に回復するという第２のイベントが、電圧ディップか、又は意図されたタクトスイッチ動作かであることを決定する、照明ユニット。
【請求項１２】
前記タクトスイッチは通常閉じている単極のスイッチであり、
前記商用電源電圧監視ユニットは、
商用電源電圧スロープ測定サブユニットと、
停電決定サブユニットと、
を含み、
前記商用電源電圧スロープ測定サブユニットは、前記意図されたタクトスイッチ動作のイベントでは、商用電源電圧における電圧ディップの間よりも、前記商用電源電圧のスロープが高いことに基づいていて、前記照明ユニットは初期的には第１の状態であって、前記第２のイベントが前記意図されたタクトスイッチ動作である場合、前記照明ユニットは前記第１の状態から第２の状態に変わる、
請求項１１に記載の照明ユニット。
【請求項１３】
発光ユニットと、
前記発光ユニットに結合されるドライバと、
前記ドライバに商用電源電圧を供給するＡＣ／ＤＣコンバータと、
前記ドライバに結合され、前記ＡＣ／ＤＣコンバータが前記ドライバに電力を供給できない場合に、前記ドライバに電力を供給するＤＣバッテリユニットと、
を更に有し、
前記商用電源電圧が所定の時間内に回復しない場合、前記照明ユニットは、前記照明ユニットが既にオン状態かどうかをチェックし、前記照明ユニットが既にオン状態である場合、前記ＤＣバッテリユニットが電力を供給する、
請求項１２に記載の照明ユニット。
【発明の詳細な説明】
【技術分野】
【０００１】
この発明は、ステートバイ（state-by）照明を提供するためのシステム及び方法、より具体的には、ネットワークベースで配電されるプラグイン式非常用ランプシステムに関する。
【背景技術】
【０００２】
世界中の多くのエリアにおいて、電力会社により供給される電力は、不安定であり得る。このようなエリアでは、ビルは一般的に非常用照明システムを備えている。非常用照明システムは一般に、通常、家の居間／玄関ホールに設置される単一の（バッテリ・バックアップ型）非常用ランプから成る。従来の非常用ランプは、停電が発生したときにスイッチがオンになるが、このような従来の非常用照明システムは、居住者が、非常用ランプの設置された一部屋にいない場合には、ほとんど役に立たない。これは、居住者が非常用ランプの設置された部屋にいない場合には、エネルギーの無駄にもつながる。
【発明の概要】
【発明が解決しようとする課題】
【０００３】
別の部屋を照明するためには、完全に／部分的に充電されたバッテリ・バックアップランプを使用しなければならない。これは、暗闇の中でバッテリ・バックアップランプを探さなければならない／動かさなければならないことによって、非常時における不便さ又は安全上の問題のいずれかの原因となる。面倒でない照明バックアップを体験するためには、ユーザは、十分な蓄電／電池寿命を有する複数のランプを持つ必要がある。この解決法はコストがかかる。
【０００４】
従って、当該技術分野では、上記に説明された従来の非常用照明システムの欠点に対処するシステム及び方法のニーズがある。
【課題を解決するための手段】
【０００５】
本発明の一態様は、ビルの複数の部屋又はユーティリティエリアに照明バックアップを提供することができるネットワークベースで配電されるプラグイン式非常用ランプシステムソリューションに関する。上述の従来の非常用ランプとは違い、本発明の実施形態によるプラグイン式非常用ランプは、通常のランプとして使用することができ、少ない蓄電でよく、及び／又は、ユーザが辺りにいない時若しくは昼光が利用可能である時のバックアップ・エネルギーの無駄を最小化する知能を有する。ネットワークベースで配電されるプラグイン式非常用ランプシステムは、停電の間、ビル内の全てのプラグイン式非常用ランプで使用することができるバッテリ蓄電システムに接続することができる。このような電力シェアリングネットワークは、ビルの占有場所における限られた期間の間、照明の利用可能性を拡張するのに役立つ。このように、種々異なる部屋におけるコンパクトでローコストなランプは、共に組み合わされ、ユーザにより良いパフォーマンスを提供することができる。
【０００６】
本発明の別の態様は、電力シェアリングネットワークは、停電期間中、ビルの占有スペースにおける照明の利用可能性を拡張するために、ビルの既存のＡＣ配線上に存在する全てのプラグイン式非常用ランプを接続し、プラグイン式非常用ランプのそれぞれの利用可能な蓄電を確認し、一つのプラグイン式非常用ランプから別のランプに電力を送ることにより電力リソースを調整する。
【０００７】
別の実施形態では、電力シェアリングネットワークは、所定の時間の間、ビルの占有スペースにおける照明の利用可能性を拡張するために、ＤＣネットワークを形成するために付加配線を用いて全てのプラグイン式非常用ランプを接続し、プラグイン式非常用ランプのそれぞれの利用可能な蓄電を確認し、一つのプラグイン式非常用ランプから別のランプに電力を送ることにより電力リソースを調整する。
【０００８】
本発明の別の実施形態では、提案される発明は、停電中にプラグイン式非常用ランプ間で電力もデータもやりとりするために付加配線を使用し、単純化された制御アーキテクチャを使用する。
【０００９】
本発明の別の実施形態では、非常時又は計画された活動時に、１以上の部屋で照明を拡張するために、付加バッテリバンクをＤＣネットワークに接続することができる。これは、ＤＣネットワーク上の１つのノードを予約し、付加バッテリバンクを（空いている）予約したノードに接続することによって行われる。
【００１０】
本発明の他の実施形態では、さまざまなタイプの従来の非常用ランプも追加することができ、プラグイン式非常用ランプと共にネットワークで結ぶことができる。
【００１１】
発明の別の実施形態では、グリッド電力監視ユニットが、ネットワークを構成するために全てのプラグイン式非常用ランプと通信するのに使用される。
【００１２】
一実施形態では、本発明は、ＡＣ電力で動作でき、ＡＣ電力が取り除かれた場合にはＤＣ電力で動作することができる複数の照明ユニットを含む照明ネットワークを対象とする。コントローラは、複数の照明ユニット間にＤＣ電力を再配電するように構成される。照明ネットワークは、ＡＣ電力の有無を検知するように構成されたＡＣ電力モニタリングユニットも含む。照明ネットワークでは、コントローラは、ＡＣ電力により使用される配電経路と同じ配電経路を使用するＤＣ電力を再配電する。
【００１３】
別の実施形態では、本発明は、発光ユニットと、発光ユニットに結合されるドライバと、ドライバに電力を供給するように構成されるＡＣ／ＤＣコンバータとを含む照明ユニットを対象とする。ＤＣバッテリユニット（１４）は、ドライバにも結合され、ＡＣ／ＤＣコンバータがドライバに電力を供給できない場合に、ドライバに電力を供給するように構成される。コントローラ（１５）は、ＤＣバッテリユニットからの電力が欠乏している場合、追加電力を要求するように構成される。照明ユニットは、コントローラからの制御の下で、ＡＣ電力が利用可能でないときにＤＣ電力に切り替えるために使用されるバイパススイッチも含む。
【００１４】
更に、別の実施形態では、照明ユニットは、更に、追加電力を受け取るためのＤＣ入力経路を含む。
【００１５】
本発明の別の実施形態は、あるエリアに対してＤＣバックアップ照明を提供する方法を対象とする。方法は、ＡＣ電力の停止が発生しているかどうかを決定するステップと、ＡＣ電力の停止が発生する前にエリアが照明されていたかどうかを決定するステップとを含む。決定に基づいて、エリアが照明されていなかった場合、ＤＣバックアップ照明はエリアに提供されず、エリアが照明されていた場合で、照明が昼光ではなかったときに、ＤＣバックアップ照明を提供する。
【００１６】
本発明の更なる実施形態では、信頼性のある照明ユニットのオン−オフスイッチは、タクトスイッチ（tactile switch）に置き換えられる。ユーザがタクトスイッチを押すとすぐに、信頼性のある照明ユニットへの電力は、瞬間的にカットオフされ、イベントが登録される。イベントが登録されるとすぐに、信頼性のある照明ユニットは、オンからオフ状態又はオフからオン状態に切り替えられる。電力の損失が瞬間的でない場合、イベントは、停電状態として認識される。
【００１７】
更に、本発明の別の実施形態は、誤トリガを回避するために、タクトスイッチ動作と瞬間的な商用電源電圧ディップとを識別するための制御回路が使用される。
【００１８】
一般に、本発明のさまざまな対応及び実施形態は、発明の範囲内で可能な任意のやり方で組み合わされ、結合されてもよい。発明として見なされる主題は、具体的に示され、明細書の末尾の請求項の中に明確に請求されている。
【００１９】
発明の前述並びに他の特徴及び利点は、添付の図面と共に下記の詳細な説明から明らかになるだろう。
【図面の簡単な説明】
【００２０】
【図１】図１は、発明の実施形態によるプラグイン式非常用ランプ（又は信頼性のあるランプ）のための電力シェアリングネットワークの概略図を示す。
【図２】図２は、発明の別の実施形態によるプラグイン式非常用ランプ（又は信頼性のあるランプ）のための電力シェアリングネットワークの概略図を示す。
【図３】図３は、本発明の別の実施形態による非常用ランプの「スナップ撮影（snap shoot）」方法を示す。
【図４】図４は、発明の別の実施形態によるプラグイン式非常用ランプのためのタクトスイッチ機能の概略図を示す。
【図５】図５は、タクトスイッチを備える信頼性のあるランプの動作方法を示す。
【発明を実施するための形態】
【００２１】
図１に示されるように、信頼性のあるランプ１０のネットワーク１００は、ＡＣ商用電源１１により供給されるＡＣ電力がある場合には、従来のモードで機能する。従来のモードでは、信頼性のあるランプ１０は、従来通りの個々のランプとして動作する。ＡＣ電力が利用可能であるとき、信頼性のあるランプ１０は、バッテリ充電モード又はトリクル充電モードである。信頼性のあるランプをオン又はオフに切り替えるために、制御スイッチ（不図示）が使用されてもよい。ＡＣ電力（すなわちグリッド／メイン電力）の存在は、電力監視ユニット１２により監視される。ＡＣ電力が無い場合は、電力監視ユニット１２は、ＡＣ商用電源１１から局所配電を切り離すために、電力アイソレータスイッチ１３に信号を送信する。ＡＣ電力が無い場合は、ネットワーク１００における全ての信頼性のあるランプ１０は、データ転送／電力伝送のためのＤＣネットワークを形成するために切り替わる。ＡＣ電力が回復すると、電力監視ユニット１２は、ＡＣ電力に切り替えるために、全ての信頼性のあるランプ１０に別の信号を送信する。
【００２２】
ネットワーク１００は、電力アイソレータスイッチ１３を通してＡＣ商用電源１１から切り離され、信頼性のあるランプ１０のそれぞれは、充電管理／充電電池ユニット１４により電力が供給される。充電管理／充電電池ユニット１４は、２つの独立したコンポーネントであってもよいことに留意されたい。
【００２３】
特定の１以上の信頼性のあるランプ１０が、特定の限定期間（例えばある設定時間又はバッテリ１４の容量）を超えて照明を提供する必要のあるイベントでは、ユーザは、遠隔装置を介して、スイッチを押して、又はセンサ（不図示）を触ることで、特定のランプをトリガすることができる。ネットワーク１００は、照明の利用可能性を拡張するために電力リソースを最適化するのに、近接センサ２０及び／又は昼光センサ２１も含んでもよい。センサ２０／２１は、照明ドライバ１８の一部として含まれてもよい。従って、ユーザからのトリガの代わりに又はこれに加えて、信頼性のあるランプ１０は、自動的にユーザを感知し、オンになり、必要であれば、以下に説明されるように、追加電力を得ることができる。
【００２４】
特定のランプ１０が完全に放電したバッテリ１４を有する場合、特定のランプ１０は、電力枯渇信号をネットワーク１００の１以上の他の信頼性のあるランプ１０に送信することによって、ネットワーク１００上の電力の利用可能性を探索する。これは、通信コントローラ１５により行われる。
【００２５】
通信の選択は、ＰＬＣ又は任意の他の従来の手段であり得る。ＰＬＣは、power line communication（電力線通信）又はpower line carrier（電力線搬送、ＰＬＣ）を表し、power line digital subscriber line（電力線デジタル加入者線、ＰＤＳＬ）、商用電源通信、power line telecom（電力線電気通信、ＰＬＴ）、power line networking（電力線ネットワーク、ＰＬＮ）、又は電力線ブロードバンド（ＢＰＬ）としても知られ、電力伝送にも使用される導体上にデータを送信するシステムである。
【００２６】
電力枯渇信号を受信し、それら自体のバッテリ１４に十分な充電を有する信頼性のあるランプ１０は、電力枯渇信号要求を発した信頼性のあるランプ１０に信号を返送する。信頼性のあるランプ１０のそれぞれは、アドレス指定することができる一意に識別可能なコードを有する。２以上の信頼性のあるランプ１０の間でプロトコルハンドシェイクが完了するとすぐに、蓄積エネルギーを有する信頼性のあるランプ１０は、電力枯渇信号要求を発した信頼性のあるランプ１０に、バッテリ１４へのアクセスを許可する。
【００２７】
バッテリ１４からの電力が、信頼性のあるランプ１０の一つからネットワーク１００上の別のランプに送ることができるように、両方の信頼性のあるランプ１０のＡＣ／ＤＣコンバータ１６は、バイパススイッチ１７を用いてバイパスされる。バイパススイッチ１７は、所定の時間の間、接続されたままである、又は電力枯渇信号要求を発した信頼性のあるランプ１０（すなわち送信側ランプ１０）によって制御されてもよい。
【００２８】
照明ユニット１９の照明ドライバ１８に電力を接続する前に、送信側ランプ１０の通信コントローラ１５は、照明が照明ユニット１９によって生成されたのではないことを保証する。照明ユニット１９は、ＬＥＤユニット又は他の照明生成ユニットである。通信コントローラ１５は、送信側ランプ１０のバッテリ１４を充電しないように、及び照明ドライバ１８を介して照明ユニット１９に電力を供給するためのみに受け取られた電力を使用するように、充電管理／充電電池ユニット１４も制御する。ネットワーク１００の他の信頼性のあるランプ１０は、絶縁されるか、あるいは高いインピーダンスモードになる。このやり方では、ネットワーク１００は、所定の時間の間、ユーザが照明を利用可能であるようにシームレスなやり方で機能する。
【００２９】
ＡＣ電力が回復するとすぐに、ネットワーク１００は、監視し、ネットワーク１００の信頼性のあるランプ１０をＡＣ商用電源１１に再接続する。
【００３０】
図２は、プラグイン式非常用ランプのための電力シェアリングネットワーク２００の別の実施形態を示す。同じ参照符号は、図１に示された要素と同じ又は類似する要素に対して使用される。図２に示されるように、別々の配線が、主蓄電ユニット２２からだけでなく、信頼性のあるランプ１０間でバッテリ電力をシェアするのに使用される。別々の配線は、信頼性のあるランプ１０が互いに通信することができるためにも使用される。ＡＣ電力が利用可能であるとき、信頼性のあるランプのそれぞれは、ＡＣグリッド電力で従来のランプとして独立して機能する。
【００３１】
ＡＣグリッド電力の停止のイベントでは、信頼性のあるランプ１０は、室内のユーザの存在を感知することができ、バッテリ１４に関係する電力によりオンになる。個々の信頼性のあるランプ１０に関係するバッテリ１４が使い果たされた場合、充電管理システム１４は、ネットワーク２００の他の信頼性のあるランプ１０のそれぞれに電力枯渇信号を送ることによって、ＤＣネットワーク上の電力の利用可能性を探索する。この要求及び応答の手順は、図１に示される実施形態に関して説明されたプロトコルに類似する。信頼性のあるランプ１０の充電管理ユニット１４のシリアルスイッチは、信頼性のあるランプ１０の一つから別のランプへの電力フローのための低いインピーダンスネットワークを形成するのに使用される。ネットワーク２００は、照明の利用可能性を拡張するのに電力リソースを最適化するために、存在センサ２０／昼光センサ２１も含んでもよい。
【００３２】
別の実施形態では、ネットワーク１００及び／又は２００は、ＡＣ電力の停止の瞬間の部屋の状態を記憶するのに「スナップショット（snap shot）」機能を含んでもよい。信頼性のあるランプ１０は、ＡＣ電力の停止が発生する前、部屋が照明されていた状態であったときにのみスイッチをオンにする。さもなければ、信頼性のあるランプ１０は、部屋が照明されていない状態であった場合、ＡＣ電力の停止のイベントにおいて自動的にオンにならない。昼光センサ２１は、ＡＣ電力の停止の瞬間の周囲の照明状態を感知するために使用される。昼光センサ２１は、日中はスイッチを入れないように、昼光と人工光とを区別することができるべきである。
【００３３】
ここに説明される「スナップショット」機能は、他のタイプの非常用ランプと共に使用され、ネットワーク化された信頼性のあるランプ１０のみとの使用に限定されないことが理解されるべきである。
【００３４】
部屋の照明状態に基づいて信頼性のあるランプ１０のオン／オフを切り替えることができるスナップショット機能の方法が図３に示される。方法は、アクセス可能な、又は信頼性のあるランプ１０のコンポーネント（例えば通信コントローラ１５）の一つに組み込まれるアルゴリズム又はコンピュータ可読コードとして具体化されることができる。例えば、コンポーネントは、マイクロコントローラ、ＡＳＩＣ、又はＲＯＭがあり得る。
【００３５】
図３のステップＳ１では、ＡＣ電力の停止が発生したかどうかが決定される。ステップＳ２では、ＡＣ電力の停止時に部屋が照明されていたかどうかがチェックされる。ステップＳ３では、照明が昼光であったかどうかが決定される。ステップＳ４では、部屋が現在占有されているかどうかがチェックされる。ステップＳ５では、信頼性のあるランプ１０がオンになる。ステップＳ６では、信頼性のあるランプ１０は、オフ状態に維持される。ステップＳ７では、室内で動きがあるかどうかがチェックされる。ステップＳ８では、信頼性のあるランプがオンになる。ステップＳ９では、ＡＣ電力が回復したかどうかが決定される。ステップＳ１０では、信頼性のあるランプ１０がオフになる。
【００３６】
図３に示される方法のフローは、ＡＣ電力の回復だけでなく、存在センサ２０及び昼光センサ２１からの信号に基づいて、信頼性のあるランプ１０をオン／オフするというさまざまな変更をカバーするために調整され得ることが当業者によって理解されるべきである。
【００３７】
別の実施形態では、存在センサ２０は、存在センサ２０が室内の動きを感知するとすぐに、ＡＣ電力の停止時のスナップショットが暗い場合であっても、信頼性のあるランプ１０のスイッチを入れるように、ユーザの存在とユーザの動きとを識別することができるべきである。存在センサ２０は、存在センサ２０が室内の動きを感知するとすぐに、制御を行い、動きの感知に基づいて信頼性のあるランプ１０のスイッチをオン又はオフする。
【００３８】
別の実施形態では、信頼性のあるランプ１０は、さまざまな状態条件を表示するためにインジケータも含んでもよい。例えば、インジケータは、信頼性のあるランプ１０がＡＣ電力の停止時に暗い状態を感知し、例えばユーザが部屋で眠っていて、ランプをオフ状態に保つことをユーザに示すことができる。
【００３９】
別の実施形態では、１以上の部屋で照明の利用可能性を拡張するために、ネットワーク２００の一つのノードは、意図的に空いたままであってもよい。充電されたバッテリが空きノードに接続されるとすぐに、空きノードは主蓄電ユニット２２と通信し、主蓄電ユニット２２は、空きノードから要求側の信頼性のあるランプ１０に電力のシェアを行う。
【００４０】
別の実施形態では、信頼性のあるランプ１０は、電力のバックアップ時間を削減／延長するためにさまざまな照明レベル出力を有してもよい。このような調光は、所定の時間又は所定のバッテリ閾値レベルに基づいて変化されてもよい。
【００４１】
本発明の他の実施形態では、信頼性のあるランプ１０を制御するための従来のオン‐オフスイッチは、タクトスイッチ３０に置き換えられる。ユーザがタクトスイッチ３０を押すとすぐに、信頼性のあるランプ１０への電力は、瞬間的にオフに切断され、このイベントは登録される。イベントが登録されるとすぐに、信頼性のあるランプ１０は、オンからオフ状態又はオフからオン状態に切り替えられる。これは、信頼性のあるランプ１０がオン状態である場合、該ランプはオフ状態に変わり、その逆も同様であることを意味する。信頼性のあるランプ１０は、グリッド電力の損失が所定の限界値を超えていると決定した場合、イベントは、停電状態として認識され、照明バッテリ・バックアップ機能が起動される。
【００４２】
図４は、（通常閉じている）タクトスイッチ３０を含む信頼性のあるランプ１０の概略図を示す。この実施形態では、信頼性のあるランプ１０は、２つのフルブリッジ整流器（３１及び３２）と、ランプドライバ１８と、充電管理ユニット１４と、ランプ状態監視ユニット３３と、商用電源電圧監視ユニット３４とを含む。フルブリッジ整流器３２の出力は、フィルタされず、（例えば、分圧器を介して）商用電源監視ユニット３４により監視される。商用電源電圧監視ユニット３４は、商用電源電圧スロープ測定サブユニットと、停電決定サブユニットとを含む（図４では、別々に示されていない）。これらサブユニットは、ハードウエアコンポーネントか、ＡＳＩＣ（Application Specific Integrated Circuit、特定用途向け集積回路）か、組み込みソフトウエアか、又はこれらの組み合わせかのいずれかであり得る。図４に破線によって示されるように、さまざまな機能ブロックは、互いに通信し合う。図４に示される機能ブロックは、１つのコントローラ又は複数のコントローラに組み込まれてもよいとも理解されるべきである。
【００４３】
（例えば、通常閉じている単極の）タクトスイッチ３０は、信頼性のあるランプ１０を制御するために使用される。タクトスイッチ３０が押されるとすぐに、商用電源供給は中断され、このイベントは、フルブリッジ整流器３２を通して商用電源電圧監視ユニット３４によって感知される。このイベントは、その後、商用電源電圧監視ユニット３４によって記録される。商用電源供給が所定の時間内（例えば、イベントによりトリガされた内部タイマーが最大設定値に達する時間、好ましくは１００ミリ秒から１秒の範囲であるが、他の値が使用されてもよい）に回復しない場合、イベントは、商用電源の停止と決定される。信頼性のあるランプ１０が、イベントの発生以前にオン状態であった場合、第２タイマーもトリガされる。このケースでは、信頼性のあるランプ１０のための電力は、第２タイマーが所定の設定値（好ましくは１０分から６０分の範囲であるが、他の値も使用できる）に達するまで、所定の時間の間、（バッテリ）バックアップから供給される。第２タイマーは、信頼性のあるランプ１０がバッテリ・バックアップをする時間を制御するのに使用されてもよい。ランプがオフ位置にあった場合、イベントは無視されることができる。
【００４４】
商用電源供給が所定の時間内に回復した場合、すなわち第１タイマーが最大設定値に達していない場合、商用電源電圧監視ユニット３４は、これを第２のイベントとして記録する。この状態では、商用電源電圧監視ユニット３４は、商用電源電圧（商用電源電圧波形が一般に監視される）のスロープを分析する。分析に基づいて、第２のイベントが電圧ディップか、又は意図されたタクトスイッチ動作かを決定することができる。意図されたタクトスイッチ動作のイベントでは、商用電源電圧のスロープ（ｄｖ／ｄｔ）は、商用電源電圧における電圧ディップの間よりも高い。電圧ディップ状態の場合、第２のイベントは、無視されることができる。意図されたタクトスイッチ動作の場合、信頼性のあるランプ１０の状態は、オンからオフに変わり（切り替えられる）、その逆も同様である。これは、信頼性のあるランプ１０の誤トリガを防止するのに役立つ。
【００４５】
図５は、タクトスイッチを備える信頼性のあるランプの動作方法を示す。図５に示されるように、ステップＳ２０では、信頼性のあるランプ１０は、初期的にはステート１（すなわちオン状態）である。信頼性のあるランプ１０は、初期的にはオン又はオフ状態のいずれかでもよい。ステップＳ２１では、信頼性のあるランプ１０は、商用電源／グリッド電力の利用可能性をチェックする。グリッド電力が利用可能である場合、信頼性のあるランプ１０は、状態又は条件を変えるために任意のアクションは取らない。また、ステップＳ２２では、グリッド電力の損失が検知された場合、タイマー１は初期化される。ステップＳ２３では、商用電源電圧が所定の時間内で回復するかどうかがチェックされる。回復すると決定された場合、その後ステップＳ２４では、イベントが、意図されたタクトスイッチ動作か、商用電源電圧における電圧ディップかどうかが決定される。意図されたタクトスイッチ動作の場合、ステップＳ２５において、この例では、信頼性のあるランプ１０がステート１からステート２に変わり（切り替えられ）、タイマー１がリセットされる。
【００４６】
商用電源電圧が所定の時間内に回復しない場合、タイマー１はリセットされ（ステップＳ２５）、信頼性のあるランプ１０が既にオン状態かどうかがチェックされる（ステップＳ２６）。信頼性のあるランプ１０が電力停止の前に既にオン状態である場合、電力は、蓄電素子（例えばバッテリ）を通して供給される（ステップＳ２７）。バッテリ・バックアップ時間は、タイマー２を介して制御される（ステップＳ２８及びＳ２９）。
【００４７】
前述の詳細な説明は、発明が取ることができる多くの形の一部を示してきた。上記の例は、本発明のさまざまな態様のいくつかの可能な実施形態の単なる例示であり、他の当業者は、本発明及び付属の図面を読んで理解する際に、同等の修正及び／又は変更を思い付くであろう。特に、上記に説明されたコンポーネント（装置、システム、又はこれらに類するもの）により実行されるさまざまな機能に関して、このようなコンポーネントを説明するのに使用される（「手段（means）」への参照を含む）用語は開示の例示された実施形態において機能を実行する開示された構造に構造的に等価でなくとも、任意のコンポーネントを示さない限り、説明されたコンポーネントの具体的な機能を実行する（すなわち機能的に等価な）ハードウエア又はその組み合わせなどに対応することが意図される。
【００４８】
本発明の原理は、ハードウエア、ファームウエア、及びソフトウエアの任意の組み合わせとして実施化される。更に、ソフトウエアは、好ましくは、部品からなる、又は特定の装置及び／若しくは装置の組み合わせのプログラム記憶ユニット又はコンピュータ可読媒体上に有形的に具体化されたアプリケーション・プログラムとして実装される。アプリケーション・プログラムは、任意の適切なアーキテクチャを有する機械にアップロードされ、これによって実行されてもよい。コンピュータ・プラットフォームは、オペレーティング・システム及びマイクロ命令コードを含んでいてもよい。ここに説明されるさまざまなプロセス及び機能は、マイクロ命令コードの一部であっても、アプリケーション・プログラムの一部であっても、これらの任意の組み合わせであってもよく、ＣＰＵによって実行されてもよく、これは、このようなコンピュータ又はプロセッサが明示的に示されているか否かにはよらない。加えて、追加的なデータ記憶ユニット及び印刷ユニットといったさまざまな他の周辺ユニットがコンピュータ・プラットフォームに接続されてもよい。
【００４９】
本発明の具体的な特徴が、いくつかの実施形態の１つのみに関して例示され、及び／又は説明されてきたが、このような特徴は、任意の所定の又は特定の出願に所望の及び有利であり得る他の実施形態の１以上の特徴と組み合わされてもよい。更に、他に明記されない限り、単数のコンポーネント又はアイテムへの参照は、２以上のこのようなコンポーネント又はアイテムを包含することが意図される。更に、「含む（including, includes）」、「有する（having, has, with）」、又はこれらの変形は、詳細な説明及び／又は請求項の中に使用され、このような用語は、用語「有する（comprising）」に類似するやり方に包含されるべきであることが意図される。
【００５０】
本発明は、好ましい実施形態を参照して説明されてきた。しかしながら、前述の詳細な説明を読んで理解する当業者は、修正及び変更を思い付くであろう。本発明は、このような修正及び変更を全て含むと解釈されることを意図している。本発明の範囲を規定することが意図されているのは、あらゆる等価物を含む請求項のみである。
【図１】
0006400773.tif 000002
【図２】
0006400773.tif 000003
【図３】
0006400773.tif 000004
【図４】
0006400773.tif 000005
【図５】
0006400773.tif 000006